(57)【要約】【課題】自転車のペダル駆動の方向に変化をつけ、足裏前端、後端を選択して異なる運動効果を達成するペダル前後回転駆動の自転車伝動構造を提供する。【解決手段】ペダル前後回転駆動の自転車伝動構造は、主に駆動軸ユニットに第一ギア、第二ギアを備え、第一、二ギアは共にクラッチ歯を設置し、駆動軸は位置を制御する定方向ギアを設置し、更に連動軸、第一連動ギア、第二連動ギア、チェーンを設置する。上述構造によって、ペダルの前回転（時計回り）を選択した時、自転車輪は前向きに動き、ペダルの後回転（反時計回り）を選択した時も、自転車を前向きに動かす。そのため、ペダルを前回転、後回転させることで、足裏に異なる力点の作用を与え、異なる部位の運動効果を達成する。【選択図】図１
0003166842.tif 000002
【実用新案登録請求の範囲】
【請求項１】
ペダル前後回転駆動の自転車伝動構造において、
駆動軸の両端にはペダル桿、ペダルを連接し、駆動軸ユニットは、一体連動で滑動位置を制御する定方向ギアを設置し、定方向ギアの一端は第一ギアを設置し、第一ギアは駆動軸と連動せず、第一ギアはクラッチ歯、連動ブッシングを設置し、  連動ブッシングはチェーンホイールに組み合わせて一体にして、定方向ギアの別一端は第二ギアを設置し、第二ギアはクラッチ歯を設置し、且つ駆動軸と連動せず、また筐体、第一、二ギアを覆う閉じ蓋、定方向ギアを設置し、筐体内には連動軸を設置し、連動軸の一端には第一連動ギアを設置して第一ギアに咬み合わせ、連動軸の別一端は第二連動ギアを設置し、第二ギアと第二連動ギアの間にはチェーンを設置して連結して連動するもので、定方向ギアを設定して第一ギアのクラッチ歯に咬み合わせ、
ペダルを前向きに踏むと、ペダル桿は時計回りに回転し、駆動軸、定方向ギアを時計回りに回転させ、第一ギア、チェーンホイールを連動して時計回りに回転させ、また、定方向ギアを設定して第二ギアのクラッチ歯に咬み合わせ、
反対にペダルを後回転に踏むと、ペダル桿は時計逆回りに回転し、駆動軸、定方向ギアを時計逆回りに回転させ、第二ギア、チェーン、第二連動ギア、連動軸、第一連動ギアを連動して時計逆回りに回転させ、第一連動ギアは第一ギアを時計回りに回転させ、チェーンホイールを時計回りに回転させることを特徴とするペダル前後回転駆動の自転車伝動構造。
【請求項２】
前記定方向ギアは、外周にベアリング・リングを設置し、ベアリング・リングはバネを連接して定方向ギアを牽引し、定方向ギアを第一ギアのクラッチ歯に常に咬み合わせ、ベアリング・リングはコントロール線を設置し、コントロール線を操作して定方向ギアを移動させ、定方向ギアの一辺を第一ギアのクラッチ歯から外し、別一辺は第二ギアのクラッチ歯に咬み合わせることを特徴とする請求項１記載のペダル前後回転駆動の自転車伝動構造。
【考案の詳細な説明】
【技術分野】
【０００１】
本考案は、ペダル前後回転駆動の自転車伝動構造に関するもので、特に自転車のギアが前回転（時計回り）、後回転（反時計回り、時計逆回り）に動作し、どちらでも自転車を前方へ動かして足裏の異なる部位の運動効果を達成する自転車伝動構造に関する。
【背景技術】
【０００２】
公知の自転車伝動駆動構造は、駆動軸に駆動輪を設置したチェーンホイールが連結されて一体となっており、駆動軸には更にペダル桿、ペダルが連結され、前回転（時計回り）にペダルを回すと、駆動軸を時計回りに回転させ、チェーンホイールを時計回りに回転し、車輪を前回転（時計回り）に動かす。また、後回転（時計逆回り）にペダルを踏むと、駆動軸は空転し、チェーンホイールは時計回りに回転できず、そのため、車輪を前向きに回転させることができない。
上述の説明からわかるとおり、公知の自転車は前回転（時計回り）にペダルを回転させるだけなので、その掛ける力は常に足裏の前端であり、足裏後端（踵）に力をかけることができず、踵側の運動効果を得ることができない。更に長時間ペダルを踏んでいると、足裏前端が疲れてだるくなってしまう。
【先行技術文献】
【特許文献】
【０００３】
【特許文献１】特開２００７−３３０７３２号公報
【考案の概要】
【考案が解決しようとする課題】
【０００４】
本考案の解決しようとする問題点は、ペダルが前回転の時にしか力をかけることができないため、足裏の踵側の運動効果が得られない点である。
本考案は、上記の問題点に鑑みてなされたもので、ペダルを前回転、後回転でも足裏に異なる力点の作用を与え、異なる部位の運動効果を達成するペダル前後回転駆動の自転車伝動構造を提供することにある。
【課題を解決するための手段】
【０００５】
前記課題を解決するため、本考案は、主に駆動軸ユニットに第一ギア、第二ギアを備え、第一、二ギアは共にクラッチ歯を設置し、駆動軸は位置を制御する定方向ギアを設置し、更に連動軸、第一連動ギア、第二連動ギア、チェーンを設置する。上述構造によって、ペダルの前回転（時計回り）を選択した時、自転車輪は前向きに動き、ペダルの後回転（時計逆回り）を選択した時も、自転車を前向きに動かす。そのため、ペダルを前回転、後回転させることで、足裏に異なる力点の作用を与え、異なる部位の運動効果を達成することを最も主要な特徴とする。
【考案の効果】
【０００６】
本考案のペダル前後回転駆動の自転車伝動構造によれば、ペダルの前回転、及び後回転のどちらでも、足裏の異なる部位の運動効果を達成するという利点がある。
すなわち、ペダルの後回転(反時計回り)を選択すると、第二ギアが第二連動ギア、連動軸、第一連動ギアを連動し、更に第一ギア及チェーンホイールを連動して前回転(時計回り)させ、ペダルの前、後回転をすることで、足裏の異なる部位に力をかけてペダルを踏み、異なる部位の運動効果を達成することができる。
【図面の簡単な説明】
【０００７】
【図１】本考案の立体分解図である。
【図２】本考案の組立立体図である。
【図３】本考案のペダル前回転（時計回り）に設定した断面図である。
【図４】本考案のペダル後回転（時計逆回り）に設定した断面図である。
【考案を実施するための形態】
【０００８】
本考案は、前回転、後回転のペダル踏みのどちらでも自転車を前方へ進める伝動構造を提供し、駆動軸は定方向ギア、第一ギア、第二ギアを設置し、第一、二ギアは共にクラッチ歯を設置し、更に連動軸、第一連動ギア、第二連動ギア、チェーンを設置する。またペダルの前回転（時計回り）を選択すると、第一ギアがチェーンホイールに伝動して前回転（時計回り）する。
もしくは、ペダルの後回転（時計逆回り）を選択すると、第二ギアが第二連動ギア、連動軸、第一連動ギアを連動し、更に第一ギア及チェーンホイールを連動して前回転（時計回り）させ、ペダルの前、後回転をすることで、足裏の異なる部位に力をかけてペダルを踏み、異なる部位の運動効果を達成する。
【実施例】
【０００９】
本考案のペダル前後回転駆動の自転車伝動構造の実施例を図面を参照して説明する。
図１、２、３、４に示すのは、駆動軸１両端にペダル桿２、ペダル３を連接し、駆動軸１ユニットは一体で連動し、滑動位置の定方向ギア１０を制御する。定方向ギア１０の一端には第一ギア１１を設置し、第一ギア１１は駆動軸１と連動しない。第一ギア１１はクラッチ歯１３、連動ブッシング１２を設置し、連動ブッシング１２にチェーンホイール６を組み合わせて一体にする。定方向ギア１０の別一端には第二ギア２０を設置し、第二ギア２０は駆動軸１と連動しない。
また、筐体４、第一、二ギア１１、２０、定方向ギア１０を含む閉じ蓋５を設置する。筐体４内には連動軸３０を設置し、連動軸３０の一端には第一連動ギア３１を設置して第一ギア１１に咬み合わせる。連動軸３０の別一端は第二連動ギア３２を設置し、第二ギア２０と第二連動ギア３２間にはチェーン２２を設置して連結し連動させる。
他に定方向ギア１０の外周にはベアリング・リング１４を設置する。ベアリング・リング１４にはバネ１５を連接して定方向ギア１０を牽引し、定方向ギア１０を常に第一ギア１１のクラッチ歯１３に咬み合わせておく。ベアリング・リング１４にはコントロール線１６を設置し、コントロール線１６を操作して定方向ギア１０を移動させ、定方向ギア１０の一辺を第一ギア１１のクラッチ歯１３から外し、別一辺は第二ギア２０のクラッチ歯２１に咬み合わせる。
【００１０】
上述の構造によって、本考案の作用、効果は以下のとおりである。
一、図３はペダル前回転（時計回り）時の図である。
ペダル桿２は、前回転（時計回り）する。この時、定方向ギア１０は第一ギア１１のクラッチ歯１３に噛み合い、第二ギア２０のクラッチ歯２１から外れる。そのため、第二ギア２０は回転せず、第一ギア１１は回転する。連動ブッシング１２を通してチェーンホイール６を前回転（時計回り）させ、つまり自転車の車輪は正常に前向きに動作する。
【００１１】
二、図４はペダル後回転（反時計回り）時の図である。
操作コントロール線１６によって、ベアリング・リング１４、定方向ギア１０を引っ張り、その一辺を第一ギア１１のクラッチ歯１３(図２参照)から外し、別一辺を第二ギア２０のクラッチ歯２１に差し込んで咬み合わせる。ペダル桿２が後回転（時計逆回り）した時、駆動軸１も時計逆回りに回転し、定方向ギア１０によって第二ギア２０を時計逆回りに回転させる。
また、チェーン２２に伝動することによって、第二連動ギア３２、連動軸３０、第一連動ギア３１を時計逆回りに回転させ、第一連動ギア３１は第一ギア１１を時計回りに回転させ、連動ブッシング１２によってチェーンホイール６を時計回り（前向き）に回転させ、自転車の車輪を前向きに動かす。
【００１２】
上述の説明から分かるとおり、本考案の実施例のペダル３、ペダル桿２は前回転、後回転に関わりなく、どちらでもチェーンホイール６を前回転（時計回り）に動かす。足裏を前向きに踏んだ時、足裏の前端に力がかかり、足裏を後向き踏んだ時には足裏の後端（踵）に力がかかり、足裏の異なる部位に力をかける効果を達成し、異なる部位の運動ができる。
拠って、本考案は固定位置、フィットネス用の足踏みにも適し、足裏の運動時に異なる部位の運動効果を選択する。
【００１３】
上述に示す本考案の構造は、実用性と効果を高めるため、実用新案の条件に符合するため、ここに申請する。
【符号の説明】
【００１４】
１  駆動軸
１０  定方向ギア
１１  第一ギア
１２  連動ブッシング
１３  クラッチ歯
１４  ベアリング・リング
１５  バネ
１６  コントロール線
２  ペダル桿
２０  第二ギア
２１  クラッチ歯
２２  チェーン
３  ペダル
３０  連動軸
３１  第一連動ギア
３２  第二連動ギア
４  筐体
５  閉じ蓋
６  チェーンホイール
【図１】
0003166842.tif 000003
【図２】
0003166842.tif 000004
【図３】
0003166842.tif 000005
【図４】
0003166842.tif 000006